(57)【要約】【課題】グループを作成する際のユーザの操作負担を軽減する。【解決手段】本発明に係る端末装置１は、ユーザの操作を受け付ける操作部１１と、１又は複数のアイコン３２を１又は複数のグループに分類して表示する表示部１３と、表示部１３により表示されたアイコン３２が、操作部１１により受け付けた操作によって移動モードにされた場合、新規グループを表示部１３に表示するように制御する制御部１２と、を備えることを特徴とする。【選択図】図１
2012155475.tif 000002
【特許請求の範囲】
【請求項１】
ユーザの操作を受け付ける操作手段と、
１又は複数のアイコンを１又は複数のグループに分類して表示する表示手段と、
前記表示手段に表示されたアイコンが、前記操作手段により受け付けた操作によって移動モードにされた場合、新規グループを表示するように前記表示手段を制御する制御手段と、
を備えることを特徴とする端末装置。
【請求項２】
前記制御手段は、前記表示手段に表示された新規グループに前記アイコンが追加されずに前記アイコンの移動モードが終了された場合には、前記表示手段の表示画面から当該新規グループを削除する
ことを特徴とする請求項１に記載の端末装置。
【請求項３】
前記アイコン及び前記グループを記憶する記憶手段を更に備え、
前記制御手段は、前記表示手段に表示されたアイコンが、前記操作手段により受け付けた操作によって移動モードにされた場合、前記記憶手段内に前記新規グループを作成することなく前記新規グループを表示するように前記表示手段を制御し、前記アイコンが前記新規グループに追加され、且つ、前記アイコンの移動モードが終了された場合に、前記新規グループを前記記憶手段内に作成する
ことを特徴とする請求項１又は２に記載の端末装置。
【請求項４】
ユーザの操作を受け付ける操作ステップと、
１又は複数のアイコンを１又は複数のグループに分類して表示手段に表示する表示ステップと、
前記表示ステップにおいて表示されたアイコンが前記操作ステップにおける操作により移動モードにされた場合、新規グループを前記表示手段に表示する新規グループ表示ステップと、
を備えることを特徴とするアイコン管理方法。
【発明の詳細な説明】
【技術分野】
【０００１】
本発明は、アイコンを管理する端末装置およびアイコン管理方法に関するものである。
【背景技術】
【０００２】
ファイルやアイコンなどのオブジェクトを、複数のフォルダに分類して表示するオブジェクト分類方法が知られている。具体的には、ユーザが複数のフォルダを作成し、オブジェクトの種類や作成日時などの属性に応じて各フォルダに分類する。このようなオブジェクトの分類方法では、ユーザが新規フォルダを作成した後、ユーザがオブジェクトを移動元フォルダから新規フォルダに移動する操作が必要になる。
【０００３】
例えば、下記の特許文献１には、このようなユーザの手間を軽減することを目的として、複数のサムネイル画像を表示する表示インタフェースにおいて、サムネイル画像が選択されると、フォルダが自動的に作成される技術が開示されている。すなわち、下記の特許文献１には、サムネイル画像を選択した場合に、ユーザが新規フォルダを作成する操作を行うことなく、新規フォルダが作成される技術が開示されている。
【先行技術文献】
【特許文献】
【０００４】
【特許文献１】特表２００８−５０７７４３号公報
【発明の概要】
【発明が解決しようとする課題】
【０００５】
しかしながら、上記特許文献１に開示された技術は、サムネイル画像を選択すると新規フォルダが作成されるため、単に画像ファイルの編集処理や再生処理を行う場合であっても、新規フォルダが作成される。したがって、不要なフォルダが作成されてしまう。また、ユーザは、不要なフォルダを、タッチパネルなどの入力デバイスを操作して手作業で削除する必要があり、手間がかかる。
【０００６】
そこで本発明は、このような問題点を解決するために、ユーザの操作負担を軽減可能な態様でアイコンを管理する端末装置およびアイコン管理方法を提供することを目的とする。
【課題を解決するための手段】
【０００７】
上記課題を解決するため、本発明の端末装置は、ユーザの操作を受け付ける操作手段と、１又は複数のアイコンを１又は複数のグループに分類して表示する表示手段と、表示手段に表示されたアイコンが、操作手段により受け付けた操作によって移動モードにされた場合、新規グループを表示するように表示手段を制御する制御手段と、を備えることを特徴とする。
【０００８】
また、本発明のアイコン管理方法は、ユーザの操作を受け付ける操作ステップと、１又は複数のアイコンを１又は複数のグループに分類して表示手段に表示する表示ステップと、表示ステップにおいて表示されたアイコンが操作ステップにおける操作により移動モードにされた場合、新規グループを表示手段に表示する新規グループ表示ステップと、を備えることを特徴とする。
【０００９】
本発明によれば、表示手段に表示されたアイコンが、操作手段により受け付けた操作によって移動モードに設定された場合、新規グループを表示手段に表示することで、ユーザがグループの追加操作を行うことなく、新規グループの自動作成が可能となる。その結果、ユーザの操作負担を軽減することができる。
【００１０】
また、本発明の端末装置において、制御手段は、表示手段に表示された新規グループにアイコンが追加されずに当該アイコンの移動モードが終了された場合には、表示手段の表示画面から当該新規グループを削除するのが好ましい。これによれば、ユーザがグループの削除操作を行うことなく、不要なグループの自動削除が可能となる。その結果、ユーザの操作負担を軽減することができる。
【００１１】
また、本発明の端末装置において、アイコン及びグループを記憶する記憶手段を更に備えてもよく、制御手段は、表示手段に表示されたアイコンが、操作手段により受け付けた操作によって移動モードにされた場合、記憶手段内に新規グループを作成することなく新規グループを表示するように表示手段を制御し、アイコンが新規グループに追加され、且つ、アイコンの移動モードが終了された場合に、新規グループを記憶手段内に作成するのが好ましい。これによれば、表示手段に表示された新規グループへのアイコンの移動が確定した場合に、新規グループを記憶手段内に作成することができる。その結果、記憶手段の記憶領域を有効に利用することが可能となる。
【発明の効果】
【００１２】
本発明によれば、グループを作成する際のユーザの操作負担を軽減することができる。
【図面の簡単な説明】
【００１３】
【図１】本発明の実施形態に係る端末装置の機能構成を示す図である。
【図２】本発明の実施形態に係る端末装置のハードウェア構成を示す図である。
【図３】本発明の実施形態に係る端末装置の表示装置に表示される画面の一例を示す図である。
【図４】本発明の実施形態に係る端末装置の表示装置に表示されるサブメニュー画面の一例を示す図である。
【図５】本発明の実施形態に係る端末装置で実行されるアイコン削除処理を説明するためのフローチャートである。
【図６】本発明の実施形態に係る端末装置で実行されるアイコン複数削除処理を説明するためのフローチャートである。
【図７】本発明の実施形態に係る端末装置で実行されるアイコン名称変更処理を説明するためのフローチャートである。
【図８】本発明の実施形態に係る端末装置で実行されるアイコン移動処理を説明するためのフローチャートである。
【図９】（ａ）は本発明の実施形態に係る端末装置で実行されるアイコン移動処理時の画面の一例を示す図、（ｂ）は本発明の実施形態に係る端末装置で実行されるアイコン移動処理後の画面の一例を示す図である。
【図１０】本発明の実施形態に係る端末装置で実行されるアイコン新規追加処理を説明するためのフローチャートである。
【図１１】本発明の実施形態に係る端末装置で実行されるグループ追加処理を説明するためのフローチャートである。
【図１２】（ａ）は本発明の実施形態に係る端末装置の表示装置に表示される画面の一例を示す図、（ｂ）は本発明の実施形態に係る表示データ管理テーブルの一例を示す図である。
【発明を実施するための形態】
【００１４】
以下、図面を参照して、本発明に係る端末装置およびアイコン管理方法の好適な実施形態について詳細に説明する。なお、図面の説明においては同一要素には同一符号を付し、重複する説明を省略する。
【００１５】
図１に、本実施形態の端末装置１を示す。端末装置１は、液晶ディスプレイなどの表示装置に表示されたアイコンやファイルなどを、ユーザの操作によって移動、削除等する装置である。端末装置１は、例えば、携帯電話、スマートフォン、ＰＤＡ（Personal  Digital  Assistants）、ノートＰＣ、デスクトップＰＣ等の入力装置と表示装置を備える装置である。図１に示すように端末装置１は、操作部１１（操作手段）と、制御部１２（制御手段）と、表示部１３（表示手段）と、記憶部１５（記憶手段）とを含んで構成されている。
【００１６】
図２に端末装置１のハードウェア構成を示す。図２に示すように、端末装置１は、物理的には、ＣＰＵ（Central  Processing  Unit）１０１、主記憶装置であるＲＡＭ（Random  Access  Memory）１０２、ＲＯＭ（Read  Only  Memory）１０３、タッチパネルや操作キーなどの入力デバイスである入力装置１０４、液晶ディスプレイなどの表示デバイスである表示装置１０５、ハードディスクなどの補助記憶装置１０６などのハードウェアにより構成されている。後述する端末装置１の各機能は、図２に示すＣＰＵ１０１、ＲＡＭ１０２などのハードウェア上に所定のコンピュータソフトウェアを読み込ませることにより、ＣＰＵ１０１の制御のもとで入力装置１０４、表示装置１０５などを動作させるとともに、ＲＡＭ１０２や補助記憶装置１０６におけるデータの読み出しおよび書き込みを行うことで実現される。
【００１７】
引き続いて、本実施形態に係る端末装置１の機能について説明する。
【００１８】
操作部１１は、例えばタッチパネルであって、ユーザの操作を受け付ける操作手段として機能するものである。ユーザは操作部１１を操作することにより表示部１３に表示されるアイコンを選択し、移動するなどの操作を行うことができる。操作部１１は、操作キーや他の入力デバイスであってもよい。例えば操作部１１がタッチパネルである場合、操作部１１は、ユーザによって押下された位置に表示されたアイコンやソフトキーを識別し、当該アイコンやソフトキーに割り当てられた機能を実行する操作が行われたことを検出する。そして、操作部１１は、検出した操作を示す操作情報を、制御部１２に出力する。
【００１９】
制御部１２は、操作部１１からの操作情報に基づいて、各種処理を行う制御手段として機能するものである。制御部１２は、例えば、表示部１３に表示されたアイコンが移動モードに設定されたことを示す操作情報を操作部１１から受信した場合、新規グループを表示部１３に表示するように制御する制御手段として機能する。
【００２０】
表示部１３は、例えば画像等を含む様々な情報を表示する液晶ディスプレイであって、アイコンやグループ（フォルダ）などを表示する表示手段として機能するものである。表示部１３は、制御部１２から出力される表示情報に基づいて表示を行う。
【００２１】
記憶部１５は、アイコン、グループファイル（フォルダファイル）などのデータを記憶する記憶手段として機能するものである。アイコンにより示される機能を実行する指示が操作部１１から制御部１２に入力されると、制御部１２は、当該アイコンに対応するファイルを記憶部１５から読み出して実行する。記憶部１５に記憶されるグループファイルは、当該グループに属するアイコン、ファイル、他のグループに関するエントリ情報を記憶するリストである。エントリ情報は、ファイル名、ファイルサイズ、記憶部１５上におけるアドレス情報などの情報を含むものである。
【００２２】
また、アイコンなどのファイルが記憶部１５に作成された場合には、制御部１２は、当該ファイルに関するエントリ情報を作成して当該ファイルが属するグループのグループファイルに登録（記憶）する。一方、アイコンなどのファイルが記憶部１５から削除される場合には、制御部１２は、当該ファイルに関するエントリ情報をグループファイルから削除する。グループが記憶部１５に作成された場合には、制御部１２は、当該グループに関するエントリ情報を作成して当該グループが属するグループのグループファイルに登録する。一方、グループが削除される場合には、制御部１２は、当該グループに関するエントリ情報を当該グループが属するグループのグループファイルから削除する。
【００２３】
図３に、本実施形態の端末装置１の表示部１３に表示されるＢｏｘ画面２０の一例を示す。端末装置１が、タッチパネルを備えるスマートフォンであるとして以下の説明を行う。
【００２４】
Ｂｏｘ画面２０は、複数のアイコン３２をグループに分類して表示するものである。Ｂｏｘ画面２０は、例えば端末装置１が待受画面を表示しており、当該待受画面上のアイコン３２がフォーカスされていない（選択されていない）状態（待受画面非活性状態）において、ユーザが操作部１１を操作して下キーを押下することによって表示部１３に表示される。アイコン３２は、Ｂｏｘアイコンともいい、例えばユーザの使用頻度が高いコンテンツファイルや機能を実行するためのファイルへのショートカットファイルである。なお、ショートカットファイルとは、特定のファイルやフォルダなどを参照するためのリンク情報を有するファイルである。このように、ユーザの使用頻度が高いコンテンツや機能へのショートカットファイルを示す１又は複数のアイコンを提供する機能をＢｏｘという。フォーカスされている（選択されている）状態のアイコン３２ｓは、例えば色を他のアイコン３２と変えるなどして識別可能に表示される。
【００２５】
Ｂｏｘ画面２０には、１又は複数のアイコン３２が表示されている。また、１又は複数のアイコン３２は、１又は複数のグループに分類されている。図３のＢｏｘ画面２０では、グループ１とグループ２とが表示されており、それぞれのグループに複数のアイコン３２が分類されている。また、各グループは、区切り線３１によって区切られている。例えばグループ１は、区切り線３１ａによって区切られており、区切り線３１ａと区切り線３１ｂとの間の領域に表示されたアイコン３２ａを含む。また、グループ２は、区切り線３１ｂによって区切られ、区切り線３１ｂより下の領域に表示されたアイコン３２ｂを含む。
【００２６】
また、Ｂｏｘ画面２０の下部には、複数のソフトキーが配設されている。例えばサブメニューを表示するためのサブメニューキー３３、アイコン３２を選択し、決定するための選択キー３４、フォーカスなどを上方へ移動するための上キー３５、フォーカスなどを下方へ移動するための下キー３６、フォーカスなどを左に移動するための左キー３７、フォーカスなどを右へ移動するための右キー３８、１画面分上へスクロールするためのページアップキー３９、１画面分下へスクロールするためのページダウンキー４０、アイコン３２の並び替えを行う並び替えキー４１などが表示されている。なお、ソフトキーは、アイコン３２に対して選択したモードや表示される画面に応じて必要な機能を実行するためのキーが表示される。例えば、アイコンの移動、アイコンの複数削除、アイコンの名称変更、アイコンの新規追加、グループの追加を選択した場合には、各モードを解除して元の状態に戻すためのクリアキー４２（図９（ａ）参照）が表示される。
【００２７】
図４に、本実施形態の端末装置１の表示部１３に表示されるサブメニュー画面２１の一例を示す。サブメニュー画面２１は、Ｂｏｘ画面２０においてアイコン３２ｓがフォーカスされた状態でサブメニューキー３３が押下されることにより表示される。サブメニュー画面２１には、複数のサブメニューが表示される。以下に各サブメニューの処理を説明する。
【００２８】
図５のフローチャートを用いて、本実施形態に係る端末装置１で実行されるアイコンの削除処理について説明する。この処理は、Ｂｏｘ画面２０に表示されているアイコン３２ｓを１つ削除する処理である。
【００２９】
制御部１２は、サブメニュー画面２１を表示している状態において、操作部１１によって「１  このＢｏｘアイコンの削除」が選択されたか否かを判定する（Ｓ１１）。当該サブメニューが選択されたと判定された場合、制御部１２は、図示しない表示情報記憶部からアイコン削除確認用の表示情報を読み出し、表示部１３に出力する。表示部１３は、アイコン削除確認用の表示情報に基づいて、「このＢｏｘアイコンを削除しますか？」といったメッセージと、ＯＫボタンと、キャンセルボタンとを含むダイアログボックスを表示する（Ｓ１２）。
【００３０】
次に、制御部１２は、操作部１１によってＯＫボタンと、キャンセルボタンのいずれが選択されたかを判定する（Ｓ１３）。ＯＫボタンが選択されたと判定されると、制御部１２は、現在フォーカスされているアイコン３２ｓを画面２０から削除するための表示情報を表示部１３に出力する。さらに、制御部１２は、記憶部１５からアイコン３２ｓを削除し、当該アイコン３２ｓが属するグループのグループファイルからアイコン３２ｓに関するエントリ情報を削除する（Ｓ１４）。そして、表示部１３は、Ｂｏｘ画面２０から当該アイコン３２ｓを削除した画面を表示して、アイコンの削除処理を終了する。一方で、Ｓ１３の判定において、キャンセルボタンが選択されたと判定された場合、制御部１２は、アイコン３２ｓの削除を行うことなく、表示部１３にアイコンの削除処理を行う前のＢｏｘ画面２０を表示するための表示情報を出力する。そして表示部１３は、当該Ｂｏｘ画面２０を表示して、アイコンの削除処理を終了する。
【００３１】
続いて、図６のフローチャートを用いて、本実施形態に係る端末装置１で実行されるアイコンの複数削除処理について説明する。この処理は、Ｂｏｘ画面２０に表示されている複数のアイコン３２を同時に削除する処理である。
【００３２】
制御部１２は、サブメニュー画面２１を表示している状態において、操作部１１によって「２  Ｂｏｘアイコンの複数削除」が選択されたか否かを判定する（Ｓ２１）。当該サブメニューが選択されたと判定された場合、制御部１２は、削除対象のアイコンを選択するための画面を表示するよう、表示部１３に表示情報を出力する。そして、表示部１３は、削除対象のアイコン３２を選択するための画面を表示する（Ｓ２２）。次に、操作部１１によって削除対象のアイコンが選択される（Ｓ２３）。削除対象のアイコンの選択は、アイコン３２がフォーカスされた状態で、選択キー３４が押下されることにより行われる。また、削除対象のアイコンを選択するための画面に表示される全選択キーが押下されることにより全てのアイコンが選択される。
【００３３】
制御部１２は、削除対象のアイコンを選択するための画面を表示している状態において、操作部１１によってクリア操作が行われたか否かを判定する（Ｓ２４）。なお、クリアは、削除対象のアイコンを選択するための画面に表示されるクリアキー４２が押下されることにより行われる。クリア操作が行われたと判定されると、制御部１２は、アイコン３２の削除を行うことなく、表示部１３に対してアイコンの複数削除処理を行う前のＢｏｘ画面２０を表示するように指示する。そして表示部１３は、当該Ｂｏｘ画面２０を表示して、アイコンの複数削除処理を終了する。
【００３４】
一方で、Ｓ２４の判定において、クリア操作が行われていないと判定されると、制御部１２は、操作部１１によってアイコン３２の削除を実行する操作が行われたか否かを判定する（Ｓ２５）。なお、削除の実行は、削除対象のアイコンを選択するための画面に表示される削除実行キーが押下されることにより行われる。削除を実行する操作が行われていないと判定された場合、Ｓ２２の処理に戻る。Ｓ２５の判定において、削除を実行する操作が行われたと判定された場合、制御部１２は、図示しない表示情報記憶部からアイコン削除確認用の表示情報を読み出し、表示部１３に出力する。表示部１３は、アイコン削除確認用の表示情報に基づいて、「これらのＢｏｘアイコンを削除しますか？」といったメッセージと、ＯＫボタンと、キャンセルボタンとを含むダイアログボックスを表示する（Ｓ２６）。
【００３５】
次に、制御部１２は、操作部１１によってＯＫボタンと、キャンセルボタンのいずれが選択されたかを判定する（Ｓ２７）。キャンセルボタンが選択されたと判定された場合、Ｓ２２の処理に戻る。一方で、Ｓ２７の判定において、ＯＫボタンが選択されたと判定されると、制御部１２は、選択されたアイコン３２をＢｏｘ画面２０から削除するための表示情報を表示部１３に出力する。さらに、制御部１２は、記憶部１５から選択されたアイコン３２を削除し、当該アイコン３２が属するグループのグループファイルから選択されたアイコン３２に関するエントリ情報を削除する（Ｓ２８）。そして、表示部１３は、Ｂｏｘ画面２０から当該アイコン３２を削除した画面を表示して、アイコンの複数削除処理を終了する。
【００３６】
続いて、図７のフローチャートを用いて、本実施形態に係る端末装置１で実行されるアイコンの名称変更処理について説明する。この処理は、Ｂｏｘ画面２０に表示されているアイコン３２の名称を変更する処理である。
【００３７】
制御部１２は、サブメニュー画面２１を表示している状態において、操作部１１によって「３  このＢｏｘアイコンの名称変更」が選択されたか否かを判定する（Ｓ３１）。当該サブメニューが選択されたと判定された場合、制御部１２は、現在フォーカスされているアイコン３２ｓの名称を変更するための編集用画面を表示するよう、表示部１３に表示情報を出力する。そして、表示部１３は、編集用画面を表示する（Ｓ３２）。次に、操作部１１によってアイコンの名称が入力される（Ｓ３３）。アイコンの名称の入力は、編集用画面に表示される文字入力用キーが押下されることにより行われる。また、アイコンの名称の入力は、音声入力によって行われてもよい。
【００３８】
制御部１２は、編集用画面を表示している状態において、操作部１１によってクリア操作が行われたか否かを判定する（Ｓ３４）。なお、クリアは、編集用画面に表示されるクリアキー４２が押下されることにより行われる。クリア操作が行われたと判定されると、制御部１２は、アイコン３２ｓの名称を変更することなく、表示部１３に対してアイコンの名称変更処理を行う前のＢｏｘ画面２０を表示するように指示する。そして、表示部１３は、当該Ｂｏｘ画面２０を表示して、アイコンの名称変更処理を終了する。一方で、Ｓ３４の判定において、クリア操作が行われていないと判定されると、制御部１２は、操作部１１によってアイコン３２ｓの名称を決定する操作が行われたか否かを判定する（Ｓ３５）。名称の決定は、選択キー３４が押下されることにより行われる。
【００３９】
名称を決定する操作が行われていないと判定された場合、Ｓ３２の処理に戻る。Ｓ３５の判定において、名称を決定する操作が行われたと判定された場合、制御部１２は、フォーカスされているアイコン３２ｓの名称を、編集用画面において決定された名称に変更するよう、表示部１３に表示情報を出力する。さらに、制御部１２は、当該アイコン３２ｓが属するグループのグループファイルに記憶されているアイコン３２ｓに関するエントリ情報を読み出し、アイコン３２ｓの名称を編集用画面において決定された名称に変更して記憶する（Ｓ３６）。そして、表示部１３は、Ｂｏｘ画面２０において現在フォーカスされているアイコン３２ｓの名称を変更した画面を表示して、アイコンの名称変更処理を終了する。
【００４０】
続いて、図８のフローチャートを用いて、本実施形態に係る端末装置１で実行されるアイコンの移動処理について説明する。この処理は、Ｂｏｘ画面２０に表示されているアイコン３２をグループ内、あるいは、グループ間で移動する処理である。
【００４１】
制御部１２は、サブメニュー画面２１を表示している状態において、操作部１１によって「４  このＢｏｘアイコンの移動」が選択されたか否かを判定する（Ｓ４１）。当該サブメニューが選択されたと判定された場合、制御部１２は、Ｂｏｘ画面２０の最下部に新規グループを追加した画面２０ａを表示するよう表示部１３に表示情報を出力する。そして、表示部１３は、表示情報に基づいて、Ｂｏｘ画面２０の最下部に新規グループの区切り線３１ｎを追加した画面２０ａを表示する（Ｓ４２）。図９（ａ）は、フォーカスされているアイコン３２ｓが移動モードに設定され、区切り線３１ｎが最下部に表示された画面２０ａの一例を示す図である。なお、Ｓ４２では、制御部１２は、新規グループのグループファイルを記憶部１５に作成することなく、新規グループを追加した画面２０ａを表示するよう表示部１３を制御する。
【００４２】
また、制御部１２は、現在フォーカスされているアイコン３２ｓを移動モードに設定し、当該アイコン３２ｓが移動モードであることを認識可能なように表示するよう、表示部１３に表示情報を出力する。表示部１３は、画面２０ａにおいて現在フォーカスされているアイコン３２ｓが移動モードであることを示す画面を表示する。表示部１３は、例えばアイコン３２ｓを半透明にするなどしてアイコン３２ｓが移動モードであることを識別可能とする。
【００４３】
次に、制御部１２は、画面２０ａを表示している状態において、操作部１１によってクリア操作が行われたか否かを判定する（Ｓ４３）。なお、クリアは、画面２０ａに表示されるクリアキー４２が押下されることにより行われる。クリア操作が行われたと判定されると、制御部１２は、アイコンの移動を行うことなく、表示部１３に対してアイコンの移動処理を行う前のＢｏｘ画面２０を表示するように指示する。そして、表示部１３は、当該Ｂｏｘ画面２０を表示して、アイコンの移動処理を終了する。一方で、Ｓ４３の判定において、クリア操作が行われていないと判定されると、制御部１２は、操作部１１によってアイコンの移動モードを終了する操作が行われたか、アイコンの移動操作が行われたかを判定する（Ｓ４４）。なお、アイコンの移動モードの終了は、例えば画面２０ａにおいて選択キー３４を押下することにより行われる。また、アイコン３２ｓの移動操作は、アイコン３２ｓが移動モードである場合に、上キー３５、下キー３６、左キー３７、右キー３８が押下されることにより行われる。
【００４４】
操作部１１によってアイコン３２ｓの移動操作が行われると、制御部１２は、表示部１３に当該アイコン３２ｓを移動させるように指示する。そして、表示部１３は、操作部１１の操作に応じてアイコン３２ｓを移動して画面２０ａに表示する（Ｓ４５）。そして、制御部１２は、再度Ｓ４３の判定を行う。一方で、Ｓ４４の判定において、アイコンの移動モードを終了する操作が行われたと判定された場合は、制御部１２は、新規グループにアイコン３２ｓが移動されたか否かの判定を行う（Ｓ４６）。新規グループにアイコン３２ｓが移動されたか否かの判定は、アイコン３２ｓの移動モード終了時に、アイコン３２ｓが区切り線３１ｎより下の領域に存在しているか否かによって行われる。すなわち、アイコン３２ｓの移動モード終了時に、アイコン３２ｓが区切り線３１ｎより下の領域に存在している場合には、新規グループにアイコン３２ｓが移動されたと判定され、それ以外の場合は、新規グループにアイコン３２ｓが移動されていないと判定される。
【００４５】
新規グループにアイコン３２ｓが移動されたと判定された場合、制御部１２は、図９（ｂ）に示したような新規グループを含むＢｏｘ画面２０ｂを表示するように表示部１３に指示する。また、制御部１２は、新規グループに関するエントリ情報を作成し、予め設定されたグループのグループファイルに格納する。なお、予め設定されたグループとは、例えば最上位のグループである。さらに、制御部１２は、当該新規グループのグループファイルにアイコン３２ｓに関するエントリ情報を登録し、アイコン３２ｓの移動元のグループのグループファイルからアイコン３２ｓに関するエントリ情報を削除する。そして、表示部１３は、アイコン３２ｓの移動後のＢｏｘ画面２０ｂを表示して、アイコンの移動処理を終了する。
【００４６】
一方で、Ｓ４６の判定において、新規グループにアイコンが移動されていないと判定された場合は、制御部１２は、新規グループを削除したＢｏｘ画面を表示するよう表示部１３に指示する。そして、表示部１３は、新規グループ（区切り線３１ｎ）を削除して、アイコン３２ｓ移動後のＢｏｘ画面を表示し（Ｓ４７）、アイコンの移動処理を終了する。
【００４７】
なお、アイコンの移動処理は、移動対象のアイコン３２ｓに対して選択キー３４を長押しすることや並び替えキー４１を押下することでも開始することができる。また、アイコン３２ｓが移動モードに設定されたことで表示される新規グループは、例えば「新規グループ」という名称で表示されるが、他の名称であってもよい。また、Ｓ４２において、制御部１２は、新規グループを追加した画面２０ａを表示するよう表示部１３に指示するとともに、記憶部１５に新規グループのグループファイルを作成するようにしてもよい。この場合には、Ｓ４７において、制御部１２は、新規グループを削除したＢｏｘ画面を表示するよう表示部１３に指示するとともに、記憶部１５から新規グループのグループファイルを削除すればよい。
【００４８】
また、Ｓ４２において、制御部１２は、新規グループを追加した画面２０ａを表示するよう表示部１３に指示するとともに、記憶部１５に新規グループのグループファイルを作成し、新規グループに関するエントリ情報を作成して予め設定されたグループのグループファイルに登録するようにしてもよい。この場合には、Ｓ４７において、制御部１２は、新規グループを削除したＢｏｘ画面を表示するよう表示部１３に指示するとともに、記憶部１５から新規グループのグループファイルを削除し、予め設定されたグループのグループファイルから当該新規グループに関するエントリ情報を削除すればよい。
【００４９】
続いて、図１０のフローチャートを用いて、本実施形態に係る端末装置１で実行されるアイコンの新規追加処理について説明する。この処理は、Ｂｏｘ画面２０にアイコン３２を新規追加する処理である。
【００５０】
制御部１２は、サブメニュー画面２１を表示している状態において、操作部１１によって「５  Ｂｏｘアイコンの新規追加」が選択されたか否かを判定する（Ｓ５１）。当該サブメニューが選択されたと判定された場合、制御部１２は、既にＮ個のアイコン３２がＢｏｘ内に存在するか否かを判定する（Ｓ５２）。既にＮ個のアイコン３２が存在すると判定された場合、制御部１２は、図示しない表示情報記憶部からアイコン追加不可を通知するための表示情報を読み出し、表示部１３に出力する。表示部１３は、アイコン追加不可を通知するための表示情報に基づいて、「Ｂｏｘアイコンの上限を超えています」といったメッセージと、ＯＫボタンとを含むダイアログボックスを表示して、アイコンの新規追加処理を終了する。なお、アイコン３２の上限個数Ｎは、予め制御部１２に設定されている値であって、例えば２４４等である。
【００５１】
一方で、Ｓ５２の判定において、Ｂｏｘ内に存在するアイコン３２がＮ個未満であると判定された場合、制御部１２は、メニュー画面を表示するよう、表示部１３に表示情報を出力する。そして、表示部１３は、メニュー画面を表示する（Ｓ５３）。次に、制御部１２は、メニュー画面を表示している状態において、操作部１１によってクリア操作が行われたか否かを判定する（Ｓ５４）。なお、クリアは、メニュー画面に表示されるクリアキー４２が押下されることにより行われる。クリア操作が行われたと判定されると、制御部１２は、アイコンの追加を行うことなく、表示部１３にアイコンの新規追加処理を行う前のＢｏｘ画面２０を表示するように指示する。そして、表示部１３は、当該Ｂｏｘ画面２０を表示して、アイコンの新規追加処理を終了する。
【００５２】
Ｓ５４の判定において、クリア操作が行われなかった場合、操作部１１によってアイコン３２の新規追加を実行する操作が行われたか否かを判定する（Ｓ５５）。アイコンの新規追加の実行は、メニュー画面において、上キー３５、下キー３６が押下されることにより項目がフォーカスされ、当該項目がフォーカスされた状態で、選択キー３４が押下されることにより行われる。アイコン３２の新規追加を実行する操作が行われなかった場合、Ｓ５３の処理に戻る。一方で、Ｓ５５の判定において、アイコン３２の新規追加を実行する操作が行われた場合、制御部１２は、図示しない表示情報記憶部からアイコン追加確認用の表示情報を読み出し、表示部１３に出力する。表示部１３は、アイコン追加確認用の表示情報に基づいて、「この項目をＢｏｘアイコンに追加しますか？」といったメッセージと、ＯＫボタンと、キャンセルボタンとを含むダイアログボックスを表示する（Ｓ５６）。
【００５３】
次に、制御部１２は、操作部１１によってＯＫボタンと、キャンセルボタンのいずれが選択されたかを判定する（Ｓ５７）。キャンセルボタンが選択されたと判定された場合、Ｓ５３の処理に戻る。一方で、Ｓ５７の判定において、ＯＫボタンが選択されたと判定されると、制御部１２は、選択された項目に対応するアイコンをＢｏｘ画面２０のアイコン３２の最後尾に追加するための表示情報を表示部１３に出力する。さらに、制御部１２は、選択された項目に対応するアイコン３２を記憶部１５に追加し、当該アイコン３２に関するエントリ情報を作成して、予め設定されたグループのグループファイルに記憶する（Ｓ５８）。そして、表示部１３は、Ｂｏｘ画面２０に当該アイコン３２を追加した画面を表示して、アイコンの新規追加処理を終了する。なお、予め設定されたグループとは、例えば最上位のグループである。
【００５４】
続いて、図１１のフローチャートを用いて、本実施形態に係る端末装置１で実行されるグループの追加処理について説明する。この処理は、Ｂｏｘ画面２０にグループを新規追加する処理である。
【００５５】
制御部１２は、サブメニュー画面２１を表示している状態において、操作部１１によって「６  グループの追加」が選択されたか否かを判定する（Ｓ６１）。当該サブメニューが選択されたと判定された場合、制御部１２は、追加するグループの名称を入力するための編集用画面を表示するよう、表示部１３に表示情報を出力する。そして、表示部１３は、編集用画面を表示する（Ｓ６２）。次に、操作部１１によって追加するグループの名称が入力される（Ｓ６３）。グループの名称の入力は、編集用画面に表示される文字入力用キーが押下されることにより行われる。また、グループの名称の入力は、音声入力によって行われてもよい。
【００５６】
制御部１２は、編集用画面を表示している状態において、操作部１１によってクリア操作が行われたか否かを判定する（Ｓ６４）。なお、クリアは、編集用画面に表示されるクリアキー４２が押下されることにより行われる。クリア操作が行われたと判定されると、制御部１２は、グループの追加を行うことなく、表示部１３にグループの追加処理を行う前のＢｏｘ画面２０を表示するように指示する。そして、表示部１３は、当該Ｂｏｘ画面２０を表示して、グループの追加処理を終了する。
【００５７】
一方で、Ｓ６４の判定において、クリア操作が行われていないと判定されると、制御部１２は、操作部１１によってグループの名称を決定する操作が行われたか否かを判定する（Ｓ６５）。名称の決定は、選択キー３４が押下されることにより行われる。名称を決定する操作が行われていないと判定された場合、Ｓ６２の処理に戻る。Ｓ６５の判定において、名称を決定する操作が行われたと判定された場合、制御部１２は、編集用画面において決定された名称が表示された区切り線３１を追加するよう、表示部１３に表示情報を出力する。さらに、制御部１２は、記憶部１５に新規グループのグループファイルを作成するとともに、新規グループに関するエントリ情報を作成し、予め設定されたグループのグループファイルに登録する。この処理により、新規グループが作成される（Ｓ６６）。そして、表示部１３は、Ｂｏｘ画面２０に当該区切り線３１を追加した画面を表示して、グループの追加処理を終了する。なお、予め設定されたグループとは、例えば最上位のグループである。
【００５８】
つぎに、本実施形態の端末装置１の作用効果について説明する。本実施形態の端末装置１は、表示部１３に表示されたアイコン３２が、操作部１１により受け付けた操作によって移動モードにされた場合、新規グループを表示部１３に表示することで、ユーザがグループの追加操作を行うことなく、新規グループの自動作成が可能となる。その結果、ユーザの操作負担を軽減することができる。
【００５９】
また、本実施形態の端末装置１は、表示部１３に表示された新規グループにアイコン３２が追加されずにアイコン３２の移動モードが終了された場合には、当該新規グループを削除することで、ユーザがグループの削除操作を行うことなく、不要なグループの自動削除が可能となる。その結果、ユーザの操作負担を軽減することができる。
【００６０】
また、本実施形態の端末装置１は、表示部１３に表示されたアイコン３２が、操作部１１により受け付けた操作によって移動モードにされた場合、新規グループのグループファイルを記憶部１５に作成することなく新規グループを表示部１３に表示することで、新規グループ作成時において新規グループの情報に関する処理が不要となる。また、アイコン３２が新規グループに追加され、且つ、当該アイコンの移動モードが終了された場合に、新規グループのグループファイルを記憶部１５に作成するとともに、予め設定されたグループのグループファイルに新規グループのエントリ情報を登録することで、新規グループの使用が確定した場合に、新規グループに対するアクセスを可能とすることができる。その結果、新規グループの作成処理が軽減され、記憶部１５の記憶領域を有効に利用できる。
【００６１】
なお、上述した実施形態は本発明に係る端末装置およびアイコン管理方法の最良な実施形態を説明したものであり、本発明に係る端末装置およびアイコン管理方法は本実施形態に記載したものに限定されるものではない。本発明に係る端末装置およびアイコン管理方法は、各請求項に記載した要旨を変更しないように実施形態に係る端末装置およびアイコン管理方法を変形し、又は他のものに適用したものであってもよい。
【００６２】
上述した実施形態では、端末装置１は、アイコンとグループとを階層構造で管理している。しかしながら、制御部１２は、グループファイルなどでグループとアイコンとの階層構造を管理することなく、グループの区切り線３１とグループに含まれるアイコン３２とを表示画面に表示するように表示部１３を制御してもよい。すなわち、制御部１２は、グループの区切り線３１とアイコン３２との表示画面上における配置情報を記憶しておき、その配置情報に基づいて表示部１３の表示制御を行うようにしてもよい。
【００６３】
図１２（ａ）は、端末装置１の表示部１３に表示されるＢｏｘ画面２０の一例を示す図である。図１２（ｂ）は、端末装置１の記憶部１５に記憶されている表示データ管理テーブルの一例を示す図である。表示データ管理テーブルは、Ｂｏｘ画面２０を構成する表示データを管理するテーブルであって、例えば表示データＩＤと、表示データ種別情報とを対応付けて保持している。
【００６４】
表示データＩＤは、Ｂｏｘ画面２０上に表示される表示データである区切り線及びアイコンを識別可能な情報である。表示データ種別情報は、Ｂｏｘ画面２０上に表示される表示データが区切り線であるのかアイコンであるのかを示す情報である。例えば、表示データ種別情報が０の場合、対応する表示データＩＤが示す表示データが、アイコンであることを示す。また、表示データ種別情報が１の場合、対応する表示データＩＤが示す表示データが、区切り線であることを示す。
【００６５】
制御部１２は、待受画面非活性状態において、ユーザが操作部１１を操作して下キーを押下したことを検出すると、記憶部１５から表示データ管理テーブルを読み出す。そして、制御部１２は、表示部１３に表示データ管理テーブルの表示データＩＤの順に表示データを表示するよう指示をする。例えば、表示部１３は、表示データを画面左上から順番に配置して表示する。表示データ種別情報がアイコンを示し、且つ、当該表示データが最初の表示データである場合、表示部１３は、画面の左上にアイコン３２を表示する（図１２の表示データＩＤ＝１参照）。表示データ種別情報がアイコンを示し、且つ、１つ前の表示データが区切り線３１である場合には、表示部１３は、次の行の左端にアイコン３２を表示する（図１２の表示データＩＤ＝３，１０参照）。
【００６６】
表示データ種別情報がアイコンを示し、且つ、当該表示データの前の表示データがアイコン３２である場合、表示部１３は、その右隣にアイコン３２を表示する（図１２の表示データＩＤ＝４〜６，８，１１，１２参照）。なお、１つの行に表示できる最大個数のアイコンが既に表示されている場合、表示部１３は、次の行の左端にアイコン３２を表示する（図１２の表示データＩＤ＝７参照）。１つの行に表示できるアイコンの最大個数は、予め設定されており、例えば４つである。表示データ種別情報が区切り線を示す場合は、表示部１３は、１つ前の表示データが表示されている行の次の行に区切り線３１を表示する（図１２の表示データＩＤ＝２，９参照）。
【００６７】
以上のようにして、図１２（ｂ）に示した表示データ管理テーブルに基づいて表示データの表示を行うと、図１２（ａ）に示したＢｏｘ画面２０ｃとなる。
【００６８】
また、端末装置１は、待受画面下部にアイコン３２の一部を常に表示するようにしてもよい。この場合、ユーザが操作部１１を操作して下キーを押下することで、アイコン３２の１つがフォーカスされるようにしてもよい。また、端末装置１は、ユーザ設定により、待受画面非活性状態においてアイコン３２の一部を表示するか否かが選択可能に構成されてもよい。また、Ｂｏｘ画面２０は、待受画面非活性状態において、ユーザが操作部１１を操作してフリック操作を行うことで表示されるようにしてもよい。また、アイコンの移動処理は、移動対象のアイコン３２ｓをドラッグすることによって行うこともできる。この場合は、例えばアイコン３２ｓのドラッグ開始時に新規グループ（新規フォルダ）を画面上に表示する。
【００６９】
例えば、端末装置１における各機能を実行するためのプログラムモジュールとして構成してもよい。すなわち、操作部１１に相当する操作モジュール、制御部１２に相当する制御モジュール、表示部１３に相当する表示モジュールを備えたアイコン管理プログラムであって、携帯端末などのコンピュータシステムに当該プログラムを読み込ませることにより、上述の端末装置１と同等の機能を実現することができる。上述のアイコン管理プログラムは、例えば、フレキシブルディスク、ＣＤ−ＲＯＭ、ＤＶＤもしくはＲＯＭ等の記憶媒体または半導体メモリに格納されて提供される。また、上述のアイコン管理プログラムは、搬送波に重畳されたコンピュータデータ信号としてネットワークを介して提供されてもよい。
【符号の説明】
【００７０】
１…端末装置、１１…操作部、１２…制御部、１３…表示部、１５…記憶部、２０，２０ａ，２０ｂ…Ｂｏｘ画面、２１…サブメニュー画面、３１ａ，３１ｂ，３１ｎ…区切り線、３２…アイコン、３２ｓ…フォーカスされたアイコン、３３…サブメニューキー、３４…選択キー、３５…上キー、３６…下キー、３７…左キー、３８…右キー、３９…ページアップキー、４０…ページダウンキー、４１…並び替えキー、４２…クリアキー、１０１…ＣＰＵ、１０２…ＲＡＭ、１０３…ＲＯＭ、１０４…入力装置、１０５…表示装置、１０６…補助記憶装置
【図１】
2012155475.tif 000003
【図２】
2012155475.tif 000004
【図３】
2012155475.tif 000005
【図４】
2012155475.tif 000006
【図５】
2012155475.tif 000007
【図６】
2012155475.tif 000008
【図７】
2012155475.tif 000009
【図８】
2012155475.tif 000010
【図９】
2012155475.tif 000011
【図１０】
2012155475.tif 000012
【図１１】
2012155475.tif 000013
【図１２】
2012155475.tif 000014
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
ユーザの操作を受け付ける操作手段と、
１又は複数のアイコンを１又は複数のグループに分類して表示する表示手段と、
前記表示手段に表示されたアイコンが、前記操作手段により受け付けた操作によって移動モードにされた場合、新規グループを表示するように前記表示手段を制御する制御手段と、
を備え、
前記制御手段は、前記表示手段に表示された前記新規グループに、移動モードにされた前記アイコンが追加されずに前記アイコンの移動モードが終了された場合に、前記表示手段から当該新規グループを削除する
ことを特徴とする端末装置。
【請求項２】
前記アイコン及び前記グループを記憶する記憶手段を更に備え、
前記制御手段は、前記表示手段に表示されたアイコンが、前記操作手段により受け付けた操作によって移動モードにされた場合、前記記憶手段内に前記新規グループを作成することなく前記新規グループを表示するように前記表示手段を制御し、前記アイコンが前記新規グループに追加され、且つ、前記アイコンの移動モードが終了された場合に、前記新規グループを前記記憶手段内に作成する
ことを特徴とする請求項１に記載の端末装置。
【請求項３】
ユーザの操作を受け付ける操作ステップと、
１又は複数のアイコンを１又は複数のグループに分類して表示手段に表示する表示ステップと、
前記表示ステップにおいて表示されたアイコンが前記操作ステップにおける操作により移動モードにされた場合、新規グループを前記表示手段に表示する新規グループ表示ステップと、
前記新規グループ表示ステップにおいて表示された前記新規グループに、移動モードにされた前記アイコンが追加されずに前記アイコンの移動モードが終了された場合に、前記表示手段から当該新規グループを削除する新規グループ削除ステップと、
を備えることを特徴とするアイコン管理方法。
【手続補正２】
【補正対象書類名】明細書
【補正対象項目名】０００７
【補正方法】変更
【補正の内容】
【０００７】
上記課題を解決するため、本発明の端末装置は、ユーザの操作を受け付ける操作手段と、１又は複数のアイコンを１又は複数のグループに分類して表示する表示手段と、表示手段に表示されたアイコンが、操作手段により受け付けた操作によって移動モードにされた場合、新規グループを表示するように表示手段を制御する制御手段と、を備え、制御手段は、表示手段に表示された新規グループに、移動モードにされたアイコンが追加されずに当該アイコンの移動モードが終了された場合に、表示手段から当該新規グループを削除することを特徴とする。
【手続補正３】
【補正対象書類名】明細書
【補正対象項目名】０００８
【補正方法】変更
【補正の内容】
【０００８】
また、本発明のアイコン管理方法は、ユーザの操作を受け付ける操作ステップと、１又は複数のアイコンを１又は複数のグループに分類して表示手段に表示する表示ステップと、表示ステップにおいて表示されたアイコンが操作ステップにおける操作により移動モードにされた場合、新規グループを表示手段に表示する新規グループ表示ステップと、新規グループ表示ステップにおいて表示された新規グループに、移動モードにされたアイコンが追加されずに当該アイコンの移動モードが終了された場合に、表示手段から当該新規グループを削除する新規グループ削除ステップと、を備えることを特徴とする。
【手続補正４】
【補正対象書類名】明細書
【補正対象項目名】００１０
【補正方法】変更
【補正の内容】
【００１０】
また、ユーザがグループの削除操作を行うことなく、不要なグループの自動削除が可能となる。その結果、ユーザの操作負担を軽減することができる。